(57)【要約】【課題】虫などの這い上がりを阻止することが可能な手袋を提供する。【解決手段】手を被覆する手部２と腕を被覆する腕部３とが連続して形成された手袋１である。  そして、腕部には、腕Ａを囲繞する溝部４１が形成されており、溝部の表面４１ａに粘着部５が形成されることを特徴とする。ここで、腕部には、腕部の延伸方向に間隔を置いて複数の溝部及び粘着部が形成される。また、複数の溝部によって伸縮自在の蛇腹部４が形成される。  また、腕部の開口３１側の端部の周面に摘み部６が設けられている。さらに、腕部の開口にファスナー部７が設けられている。【選択図】図１
2015175073.tif 000002
【特許請求の範囲】
【請求項１】
手を被覆する手部と腕を被覆する腕部とが連続して形成された手袋であって、
前記腕部には、前記腕を囲繞する溝部が形成されており、前記溝部の表面に粘着部が形成されることを特徴とする手袋。
【請求項２】
前記腕部には、前記腕部の延伸方向に間隔を置いて複数の前記溝部及び粘着部が形成されていることを特徴とする請求項１に記載の手袋。
【請求項３】
前記複数の溝部によって伸縮自在の蛇腹部が形成されていることを特徴とする請求項２に記載の手袋。
【請求項４】
前記粘着部は、前記溝部の深さの半分以下の溝底側にのみ形成されていることを特徴とする請求項１乃至３のいずれか一項に記載の手袋。
【請求項５】
前記腕部の開口側の端部の周面に摘み部が設けられていることを特徴とする請求項１乃至４のいずれか一項に記載の手袋。
【請求項６】
前記腕部の開口に密閉手段が設けられていることを特徴とする請求項１乃至５のいずれか一項に記載の手袋。
【請求項７】
手を被覆する手部と腕を被覆する腕部とが連続して形成された手袋であって、
前記腕部には、前記腕を囲繞する溝部が形成されており、前記溝部の表面に薬剤層が形成されることを特徴とする手袋。
【発明の詳細な説明】
【技術分野】
【０００１】
本発明は、害虫などが存在する環境下において作業者が手を保護するために装着する手袋に関するものである。
【背景技術】
【０００２】
清掃作業時、汚染物の取り扱い時、医療分野における作業時、又は飲食時などに、手の汚れを防ぐとともに手を保護するために、使い捨ての手袋が使用されることが知られている(特許文献１−３など参照)。
【０００３】
特許文献１に開示されたゴム又は合成樹脂製の手袋には、手袋の裾部分につまみ部が設けられており、そのつまみ部を引っ張ることで素手を汚すことなく容易に着脱することができる構成となっている。
【０００４】
また、特許文献１には、スカート状のつまみ部を指先方向に折り返しておくことによって、作業中に手側に付着した洗剤や汚水などが腕側に浸入するのを防ぐことができる構造が開示されている。
【０００５】
さらに、特許文献２，３には、手袋の裾の部分にシール部が設けられ、使用前後に手袋の表側を露出させずに密封することが可能となる構造が開示されている。このような構造の手袋であれば、例えば使用前の無菌状態を維持したり、使用によって付着した汚染物の拡散を防いだりすることができるようになる。
【先行技術文献】
【特許文献】
【０００６】
【特許文献１】特開平１１−１８９９０５号公報
【特許文献２】実開平７−３３９２８号公報
【特許文献３】実用新案登録第３０２８３０７号公報
【発明の概要】
【発明が解決しようとする課題】
【０００７】
ところで、野生動物やその死骸などを取り扱う場合に、手袋を装着することで汚染物などとの直接の接触を防いで手を保護することはできる。しかしながら特許文献１−３に開示されている手袋では、作業中に手側に付着したダニなどの害虫が腕を伝って這い上がってくることを防ぐことはできない。近年、ダニなどを媒介とした感染症が問題となっているため、ダニに刺される様なことは可能な限り回避できるのが望ましい。
【０００８】
そこで、本発明は、虫などの這い上がりを阻止することが可能な手袋を提供することを目的としている。
【課題を解決するための手段】
【０００９】
前記目的を達成するために、本発明の手袋は、手を被覆する手部と腕を被覆する腕部とが連続して形成された手袋であって、前記腕部には、前記腕を囲繞する溝部が形成されており、前記溝部の表面に粘着部が形成されることを特徴とする。
【００１０】
ここで、前記腕部には、前記腕部の延伸方向に間隔を置いて複数の前記溝部及び粘着部が形成される構成とすることができる。また、前記複数の溝部によって伸縮自在の蛇腹部が形成される構成とすることもできる。
【００１１】
さらに、前記粘着部は、前記溝部の深さの半分以下の溝底側にのみ形成されているのが好ましい。また、前記腕部の開口側の端部の周面に摘み部が設けられている構成とすることもできる。さらに、前記腕部の開口に密閉手段が設けられていてもよい。
【００１２】
また、別の本発明の手袋は、手を被覆する手部と腕を被覆する腕部とが連続して形成された手袋であって、前記腕部には、前記腕を囲繞する溝部が形成されており、前記溝部の表面に薬剤層が形成されることを特徴とする。
【発明の効果】
【００１３】
このように構成された本発明の手袋は、手部に連続して形成された腕部に腕を囲繞する溝部が形成されており、その溝部の表面には粘着部が形成されている。
【００１４】
このため、手部に付着したダニなどの虫が腕部を這い上がろうとすると、溝部に形成された粘着部で捕捉されることになって、這い上がりを阻止することができる。
【００１５】
また、腕部の延伸方向に間隔を置いて複数の溝部及び粘着部が形成されていれば、虫が最初の粘着部を通過できたとしても、それ以降の粘着部で捕捉されるので、手袋で保護されていない体への虫の到達を確実に防ぐことができる。
【００１６】
さらに、複数の溝部によって伸縮自在の蛇腹部が形成される構造であれば、蛇腹部を縮めて粘着部を隠すことが可能になり、意図しない物の接着やべたつきを防ぐことができる。
【００１７】
そして、溝部の深さの半分以下の溝底側にのみ粘着部が形成されていれば、溝部に入り込んだ虫のみを捕捉することができるようになって、装着時にも意図しない物の接着やべたつきを抑えることができる。
【００１８】
また、腕部の開口側の端部の周面に摘み部が設けられていれば、その摘み部を引っ張ることで衣服や腕を汚すことなく容易に手袋を裏返して外すことができる。
【００１９】
さらに、腕部の開口に密閉手段が設けられていれば、裏返して外した手袋の表側を密封することが可能になるので、付着した虫などが逃げ出したり、汚染物が拡散したりするのを防ぐことができる。
【００２０】
一方、腕部の溝部の表面に殺虫剤や除虫剤などによる薬剤層を形成しておけば、手部に付着したダニなどの虫が腕部を這い上がろうとすると、薬剤層を通過する際に駆除されることになって、這い上がりを阻止することができる。
【図面の簡単な説明】
【００２１】
【図１】本実施の形態の手袋の構成を示した説明図である。
【図２】手袋を装着した状態を示した斜視図である。
【図３】蛇腹部の構造を拡大して説明する図であって、（ａ）は装着前の蛇腹部が縮んだ状態を説明する断面図、（ｂ）は装着後の蛇腹部が伸びた状態を説明する断面図である。
【図４】摘み部を引っ張って手袋を裏返す動作を説明する斜視図である。
【図５】裏返した手袋を密閉した状態を示した説明図である。
【発明を実施するための形態】
【００２２】
以下、本発明の実施の形態について図面を参照して説明する。図１は、本実施の形態の手袋１の装着前の状態を示した説明図である。また、図２は、手及び腕Ａに手袋１を装着した状態を示した斜視図である。
【００２３】
本実施の形態の手袋１は、手を被覆する手部２と、腕Ａを被覆する腕部３とが連続して形成された手袋である。手袋１は、天然ゴム、ニトリルゴム等の合成ゴム、又は塩化ビニル、ポリエチレン、ポリプロピレン若しくはポリオレフィン等の合成樹脂などの材料によって一体に成形される。
【００２４】
手部２は、５本の指や手のひらなどの平均的な形状に合わせて袋状に成形することができる。また、ミトン型など複数の指をまとめて入れる形状であってもよい。
【００２５】
一方、腕部３は、手部２の手首付近から任意の長さで筒状に成形される。例えば、図２に示すように、装着時には手首から肘の手前までの前腕を覆う長さに成形される。
【００２６】
この腕部３は、腕Ａを囲繞する環状の複数の溝部４１，・・・及び山部４２，・・・によって形成される蛇腹部４と、手袋１の裾付近に設けられる摘み部６と、手及び腕Ａを挿入するための開口３１と、外したときに開口３１を閉じるための密閉手段としてのファスナー部７とを主に備えている。
【００２７】
蛇腹部４は、図３（ａ）に示すように、腕部３の延伸方向に間隔を置いて形成される複数の溝部４１，・・・と、溝部４１，４１間にそれぞれ形成される山部４２と、溝部４１の表面４１ａに形成される粘着部５とを主に備えている。
【００２８】
ここで、溝部４１とは、頂点となる山部４２，４２間を指す。本実施の形態では、図３（ａ）に示すように断面視Ｖ字状の溝部４１について説明するが、これに限定されるものではなく、例えば断面視Ｕ字状であってもよい。また、手袋１の表側１ａに露出する溝部４１の斜面を表面４１ａとし、溝部４１の谷底を溝底４１１とする。
【００２９】
装着前の縮んだ状態の蛇腹部４は、図１及び図３（ａ）に示すように、山部４２，４２間が近接して溝部４１の溝の深さＤが深くなっている。他方、装着後の伸びた状態の蛇腹部４は、図２及び図３（ｂ）に示すように、山部４２，４２間が離隔して溝部４１の溝の深さＤが浅くなっている。
【００３０】
この蛇腹部４の伸縮は、腕部３の延伸方向に引っ張る力又は押す力を加えることによって、自在に行うことができる。このため、装着前は蛇腹部４を縮めておき、装着後に蛇腹部４を伸ばして広い範囲で腕Ａを覆わせることができる。なお、蛇腹部４を縮めた状態のままで使用することもできる。
【００３１】
一方、粘着部５は、溝部４１の溝底４１１を挟んで両側の表面４１ａに形成される。また、粘着部５は、溝部４１の全周にわたって連続して形成される。この粘着部５は、表面４１ａに粘着剤を貼り付け又は塗布することによって形成することができる。
【００３２】
粘着剤としては、例えばゴム系粘着剤を使用することができる。例えば、スフ（スパン・レーヨン）布にゴム系粘着剤を含浸させて、溝部４１の表面４１ａの所定の範囲に貼り付けることができる。また、両面テープによって粘着部５を形成することもできる。
【００３３】
粘着部５は、捕捉したい虫の歩行を阻止できる強さに調整する。粘着部５の調整は、粘着剤の接着強度を変更することによって行うことができる。また、筋状や格子状に粘着剤を塗布することによって、粘着部５の粘着強さを調整することもできる。
【００３４】
また、粘着部５は、溝部４１の溝底４１１側にのみ設ける。例えば、図３(ａ)に示すように、溝の深さＤの半分（Ｄ/２）以下の溝底４１１側にのみ粘着部５を設ける。このように溝底４１１側にのみ粘着部５を設け、搬送時や使用時に他の物と接触する機会が多い山部４２付近には粘着剤が存在しないようにする。
【００３５】
さらに、腕部３の開口３１側の端部の周面に摘み部６を設ける。詳細には、蛇腹部４と開口３１との間の手袋１の表側１ａ部分に、摘み部６の一部を接合させる。
【００３６】
この摘み部６は、図１に示すように、例えば手袋１と同じ材料で腕Ａの幅よりも幅の狭い舌形状に成形される。この摘み部６の形状はこれに限定されるものではなく、台形、長方形、短冊形、楕円形又は長円形などいずれの形状であってもよい。
【００３７】
摘み部６は、開口３１側の一辺の周辺となる接合部６１を、腕部３の周面に接合させる。他方、摘み部６の蛇腹部４側の部分は、腕部３の周面から浮いた状態になる。作業者は、手袋１を外す際には、この摘み部６の蛇腹部４側の浮いた部分を摘むことになる。
【００３８】
また、腕部３の開口３１に設けられるファスナー部７は、詳細には摘み部６と開口３１との間に設けられる。ファスナー部７は、手袋１を裏返したときに密閉できる構造となっている。
【００３９】
このファスナー部７は、図５に示すように、手袋１を裏返したときに対峙される表側１ａの一面側に線状に設けられる凹条部７１と、それに対峙する面側に線状に設けられる凸条部７２とを嵌合させるジッパー形式の密閉手段である。なお、腕部３に設ける密閉手段の形態は、これに限定されるものではなく、例えば面ファスナーなどであってもよい。
【００４０】
要するにファスナー部７は、手袋１を裏返したときに凹条部７１と凸条部７２とが対峙する状態になり、手袋１の裏側１ｂから押さえ付けると、凹条部７１と凸条部７２とが嵌り合って密閉させることができる。
【００４１】
次に、本実施の形態の手袋１の使用方法及びその作用について、図１−図５を参照しながら説明する。
【００４２】
図１は、手袋１の装着前の状態を示している。手袋１は、装着前は蛇腹部４が縮んだ状態にある。蛇腹部４が縮んだ状態のときには、図３(ａ)に示すように粘着部５が溝部４１の溝底４１１側に隠れて露出しない状態になる。
【００４３】
このため、手袋１を搬送する際や装着するためなどに手に持ったときにも、近付いた物や作業員の素手は蛇腹部４の山部４２，・・・に接触するだけなので、意図しない物の接着やべたつきを防ぐことができる。
【００４４】
また、蛇腹部４を縮めておくことで手袋１の占有容積を少なくすることができるようになるので、手袋１を収容するケースなどの材料費や搬送コストを削減できるようになる。
【００４５】
そして、手袋１の腕部３の開口３１から手及び腕Ａを挿入し、指や手のひらを手部２に収容した後に、前腕の内側（手のひら側の面）に位置する摘み部６を反対の手で摘んで、肘に向けて引っ張る。
【００４６】
このように摘み部６を引っ張ることによって、容易に蛇腹部４を伸ばすことができ、図２に示したように前腕が伸長した腕部３によって覆われることになる。
【００４７】
特に、蛇腹部４を縮めたことによって溝部４１内で対向する粘着部５どうしがくっ付いていたとしても、摘み部６を引っ張ることで容易に伸長させることができる。また、手部２の装着感が緩い場合も、摘み部６を引っ張ることで調整することができる。
【００４８】
この状態で野生動物の処理などの作業に従事することになる。作業中の手及び腕Ａは、手袋１によって汚染物などから保護されている。ところが野生動物やその死骸には、ダニなどの害虫Ｂが付着しており、図３（ｂ）に示すように手部２に移った害虫Ｂが腕部３に向かって這い上がり始めることになる。
【００４９】
これに対して蛇腹部４の溝部４１には、粘着部５が設けられている。このため、粘着部５を通りかかった害虫Ｂは、粘着部５の粘着力に脚を取られてそれ以上に這い上がることができなくなる。
【００５０】
ここで、溝部４１は腕部３に腕Ａを囲繞するように形成されており、その溝部４１の表面４１ａに同じく腕Ａを囲繞するように粘着部５が形成されている。すなわち害虫Ｂは、どの道を通っても必ず粘着部５の上を通らなければ肘や上腕側に行くことができない。
【００５１】
このため、手部２に付着したダニなどの害虫Ｂが腕部３を這い上がろうとすると、溝部４１に形成された粘着部５で捕捉されることになって、這い上がりを阻止することができる。
【００５２】
また、腕部３の延伸方向に間隔を置いて複数の溝部４１，・・・及び粘着部５，・・・が形成されていれば、図３（ｂ）に示すように害虫Ｂが最初の粘着部５を通過できたとしても、それ以降の粘着部５で捕捉されて、手袋１で保護されていない上腕などの体への到達を防ぐことができる。
【００５３】
近年、ダニなどを媒介とした感染症が問題となっているため、本実施の形態の手袋１を作業中に装着することで、這い上がってきたダニに刺される様な事態の発生を回避することができる。
【００５４】
また、溝部４１の溝の深さＤの半分以下の溝底４１１側にのみ粘着部５が形成されていれば、物や手などと粘着部５との接触を極力避けることができるようになる。この結果、溝部４１の奥に入り込んだ害虫Ｂのみを捕捉することができるようになって、意図しない物の接着やべたつきを抑えることができる。
【００５５】
そして作業後は、図４に示すように、摘み部６の腕部３から浮いた部分を摘んで手部２方向に引っ張る。すると、手袋１の裏側１ｂが現れつつ、腕Ａから腕部３が徐々に引き離されることになる。
【００５６】
このように、腕部３の開口３１側の端部の周面（表側１ａ）に摘み部６が設けられていれば、その摘み部６を引っ張ることで衣服や素肌の腕Ａを汚すことなく容易に手袋１を裏返して外すことができる。
【００５７】
裏返された手袋１は、袋の内側（手袋１の表側１ａ）に害虫Ｂが付着していたり、汚染物が付着していたりすることになる。そこで、図５に示すように、凹条部７１及び凸条部７２の位置を手袋１の裏側１ｂの端から押さえて、凹条部７１と凸条部７２とを嵌め合わせてファスナー部７を閉じる。
【００５８】
このように腕部３の開口３１に密閉手段となるファスナー部７が設けられていれば、裏返して外した手袋１の表側１ａを密封することが可能になるので、付着した害虫Ｂなどが逃げ出したり、汚染物が拡散したりするのを防ぐことができる。
【００５９】
以上、図面を参照して、本発明の実施の形態を詳述してきたが、具体的な構成は、この実施の形態に限らず、本発明の要旨を逸脱しない程度の設計的変更は、本発明に含まれる。
【００６０】
例えば前記実施の形態では、複数の溝部４１，・・・と山部４２，・・・とによって蛇腹部４が形成される場合について説明したが、これに限定されるものではない。例えば、手袋の腕部に一周だけ溝部を設け、その溝部の表面に同じく一周する粘着部を設けた場合であっても、這い上がってくる害虫Ｂなどを捕捉することができる。
【００６１】
また、前記実施の形態では、鋸の歯状に二等辺三角形の溝部４１，・・・が連続する断面の蛇腹部４について説明したが、これに限定されるものではなく、デジタル信号の波形のように凹凸状に四角形の溝部が連続する断面であってもよい。さらに溝部は、連続して設けられていなくてもよい。
【００６２】
また、前記実施の形態では、溝部４１の溝の深さＤの半分程度まで粘着部５を設けたが、これに限定されるものではなく、例えば溝の深さＤの１／３程度にするなど任意に設定することができる。
【００６３】
さらに、前記実施の形態では、手部２と腕部３とが一体に成形された手袋１について説明したが、これに限定されるものではなく、例えば蛇腹部を手部とは別の材料によって成形し、それらを繋ぎ合せることによって連続した一つの手袋にすることもできる。
【００６４】
そして、前記実施の形態では、溝部４１に粘着部５を設ける場合について説明したが、これに限定されるものではない。例えば、粘着部５に代えて、又は粘着部５と併せて、腕部３の溝部４１の表面４１ａに殺虫剤や除虫剤などによる薬剤層を形成することができる。
【００６５】
このような薬剤層が腕部３に設けられていれば、手部２に付着したダニなどの害虫Ｂが腕部３を這い上がろうとすると、薬剤層によって死滅したり遠ざかる方向に移動するようになったりするので、害虫Ｂが駆除されることになって這い上がりを阻止することができる。
【符号の説明】
【００６６】
１              手袋
２              手部
３              腕部
３１            開口
４              蛇腹部
４１            溝部
４１ａ          表面
４１１          溝底
５              粘着部
６              摘み部
７              ファスナー部（密閉手段）
Ａ              腕
【図１】
2015175073.tif 000003
【図２】
2015175073.tif 000004
【図３】
2015175073.tif 000005
【図４】
2015175073.tif 000006
【図５】
2015175073.tif 000007